(57)【要約】【課題】蓋体の開放時においても水滴やゴミの付着、飛散、脱落等を防止し、シート状物の取り出しを破れや割れ、皺寄り等を発生させることなく円滑確実に行うことができ、取り扱いも簡便なシート状物収納ケースを提供すること。【解決手段】開口部５を有するケース本体６と、ケース本体６にヒンジ部７を介して連結された外蓋８とを備え、ケース本体６に積層状態に収納したシート状物２を一枚ずつ外蓋８に付着させて取り出すようにしたシート状物収納ケースにおいて、ケース本体６に収納したシート状物２の、外蓋８の遊端側に対応する端部を全幅に亘って露出させるように残してケース本体６の開口部５を塞ぐ中蓋９が、ケース本体６と外蓋８との間に設けられ、前記外蓋８を閉じたときに、中蓋９で塞がれずに露出しているシート状物２の端部を外蓋８に付着させるように、前記外蓋８の遊端側内面に粘着体１３が設けられている。【選択図】図１
2006062706.tif 000002
【特許請求の範囲】
【請求項１】
開口部を有するケース本体と、該ケース本体の開口部を開閉自在に閉じるようにケース本体にヒンジ部を介して連結された外蓋とを備え、ケース本体に積層状態に収納したシート状物を一枚ずつ外蓋に付着させて外蓋の開放動作に伴って取り出すようにしたシート状物収納ケースにおいて、
前記ケース本体に収納したシート状物の、外蓋の遊端側に対応する端部を全幅に亘って露出させるように残してケース本体の開口部を塞ぐ中蓋が、ケース本体と外蓋との間に設けられ、前記外蓋を閉じたときに、中蓋で塞がれずに露出しているシート状物の端部を外蓋に付着させるように、前記外蓋の遊端側内面に粘着体が設けられていることを特徴とするシート状物収納ケース。
【請求項２】
前記ケース本体の底面には、前記外蓋の遊端側内面の粘着体に対応してシート状物の押し上げ部を備えていることを特徴とする請求項１に記載のシート状物収納ケース。
【請求項３】
前記中蓋は、ケース本体の開口部を開閉自在に塞ぐようにケース本体に設けられていることを特徴とする請求項１又は２に記載のシート状物収納ケース。
【発明の詳細な説明】
【技術分野】
【０００１】
本発明は、紙石鹸、化粧用脂とり紙、化粧拭き取りシート、レンズ用クリーンペーパー、葉書、メモ用紙、案内状等のシート状物を積層状態で収納し、該シート状物を１枚ずつ取り出せるようにしたシート状物収納ケースに関するものである。
【背景技術】
【０００２】
従来、上記シート状物を積層状態で収納し、最上部から１枚ずつ取り出せるようにしたシート状物収納容器乃至ケースが種々公知である。それらのうち、本発明に近い発想のものとして、特許文献１及び２を代表公知例として説明する。
特許文献１のものは、シート状物を積層状態で収納するケース本体と、該ケース本体に開閉可能に枢着された蓋体と、該蓋体の内面中央部に下向きに突出状態で上下方向に弾性変形可能に取り付けられた弾性片と、該弾性片の下面に取り付けられた粘着体とからなり、蓋体をケース本体上に閉じることによって粘着体を弾性片により最上部のシート状物に圧接し、蓋体を開放することによって最上部のシート状物を粘着体に粘着させてケース本体から取り出すようにしている。
【０００３】
また、特許文献２のものは、長方形の紙材を三つ折りしてカバー層、収納層及び底面層の三層からなる折り畳み方式の容器とし、シート状物を収納層と底面層との間に積層状態で収納し、カバー層の内面には粘着部を設け、収納層には該粘着部に対応して開口部を設け、カバー層の開閉により最上部のシート状物を粘着部に粘着させて収納層の開口部から取り出すようにしている。
【特許文献１】実公昭５８−３１８１９号公報
【特許文献２】登録実用新案第３００６６９０号公報
【発明の開示】
【発明が解決しようとする課題】
【０００４】
特許文献１のものは、蓋体を開放した際、ケース本体内に積層状態で収納されているシート状物の上面はカバーがなく、脱落を規制する手段もないため、ケース本体内のシート状物に水滴やゴミが付着するのみならず、シート状物が風で吹き飛ばされたり、ケース本体から脱落する等の点で問題があった。
また、特許文献２のものは、収納されたシート状物の中央部に対応する位置に収納層の開口部を形成しているため、カバー層を開放して粘着部に粘着させたシート状物を取り出す際、シート状物の周辺部分を中央部に引き寄せて開口部から絞り出す様にしなければならず、シート状物に破れや割れ、皺寄り等が発生し易いという点で問題があった。なお、開口部を大きくすれば、上記問題点はある程度、改善されるが、カバー層を開放した際、水滴やゴミが付着し易いという問題点があった。さらに、特許文献２のものは、特許文献１における弾性片に相当するものがなく、カバー層を開閉しただけでは、シート状物を粘着部に確実に粘着させることができない。そのため、カバー層を開閉し直して手指でカバー層を収納層の開口部に向けて押し付ける手間がかかり、また、シート状物の収納枚数が減少してくると手指によるカバー層の押し付けを段々に大きくしなければならず、取り扱いが煩瑣となる問題点があった。また、特許文献２のものは、収納層及び底面層に耳部を設け、これらの耳部を折り重ねて袋状とするものであるから、収納層自体は自由に開閉できず、シート状物の充填・補充時、全体を一旦解体展開して折り畳み直す必要があり、この点においても、取り扱いが煩瑣となる問題点があった。
【０００５】
本発明は、蓋体の開放時においても水滴やゴミの付着、飛散、脱落等を防止し、シート状物の取り出しを破れや割れ、皺寄り等を発生させることなく円滑確実に行うことができ、取り扱いも簡便なシート状物収納ケースを提供することを目的としている。
【課題を解決するための手段】
【０００６】
前記目的を達成するために本発明は、開口部を有するケース本体と、該ケース本体の開口部を開閉自在に閉じるようにケース本体にヒンジ部を介して連結された外蓋とを備え、ケース本体に積層状態に収納したシート状物を一枚ずつ外蓋に付着させて外蓋の開放動作に伴って取り出すようにしたシート状物収納ケースにおいて、前記ケース本体に収納したシート状物の、外蓋の遊端側に対応する端部を全幅に亘って露出させるように残してケース本体の開口部を塞ぐ中蓋が、ケース本体と外蓋との間に設けられ、前記外蓋を閉じたときに、中蓋で塞がれずに露出しているシート状物の端部を外蓋に付着させるように、前記外蓋の遊端側内面に粘着体が設けられていることを特徴としている。
【０００７】
上記構成によれば、外蓋の開放時においても中蓋によってケース本体の開口部が外蓋の遊端側の露出部分を除いて被覆されているため、ケース本体に収納されているシート状物に水滴やゴミ等が付着することが防止され、また、風等でシート状物が飛散することもなく、さらに、ケース本体の反転や傾斜時等でもシート状物がケース本体から脱落することも防止される。しかも、シート状物の取り出し時、ケース本体の最上部のシート状物の一端側を粘着体に粘着させて取り出すことができるため、シート状物の周辺を中央部に集めて絞り出すような無理な力が発生せず、シート状物の取り出しを破れや割れ、皺寄り等を発生させることなく円滑確実に行うことができる。
【０００８】
前記ケース本体の底面には、前記外蓋の遊端側内面の粘着体に対応してシート状物の押し上げ部を備えていることを特徴としている。
上記構成によれば、外蓋の閉鎖時、外蓋とケース本体底面とを指で上下から挟んで閉鎖することになり、この時にケース本体の底面の押し上げ部に下方から外蓋に向けて上向きの力が加わり、これによって、ケース本体に収納されたシート状物が押し上げ部で押し上げられ、最上部のシート状物が中蓋の一端で形成される露出部を通して外蓋の遊端側内面の粘着体に粘着し、次回の取り出しに備えさせることができる。
【０００９】
前記中蓋は、ケース本体の開口部を開閉自在に塞ぐようにケース本体に設けられていることを特徴としている。この構成によれば、ケース本体にシート状物を充填したり、補充したりするとき、中蓋を開放して容易に行うことができ、取り扱いも簡便なシート状物収納ケースを提供することができる。
【発明の効果】
【００１０】
本発明によれば、蓋体の開放時においても水滴やゴミの付着、飛散、脱落等を防止し、シート状物の取り出しを破れや割れ、皺寄り等を発生させることなく円滑確実に行うことができ、取り扱いも簡便なシート状物収納ケースを提供することができる。
【発明を実施するための最良の形態】
【００１１】
以下、本発明の実施形態を図面に基づいて説明する。
本発明に係るシート状物収納ケース１は、図１〜図５に示すように、多数のシート状物２を積層状態で収納するために該シート状物２の平面形状と略同様な平面形状の底壁３及び該底壁３の周縁より起立する周壁４で囲繞され上面が開口部５とされたケース本体６と、該ケース本体６の開口部５の上部を被覆するべく前記ケース本体６にヒンジ部７を介して開閉可能に設置された外蓋８と、前記外蓋８の内側で前記ケース本体６の開口部５の上部を一端側、即ち、外蓋８の遊端（反ヒンジ部）側端部で全幅に亘って露出部分１２を残して塞ぐ中蓋９とを有している。
【００１２】
中蓋９は、前記ケース本体６にヒンジ部１０を介して開閉可能に設置されていると共に、前記外蓋８の遊端側に対応する前記中蓋９の一端部１１はケース本体６の開口部５の上部に露出部分１２を形成するように短くされ、この露出部分１２に対応する前記外蓋８の遊端側内面に粘着体１３を設置し、前記外蓋８の開放時、ケース本体６の開口部５に収納された最上部のシート状物２の一端側を前記外蓋８の遊端側内面の前記粘着体１３に粘着させて前記ケース本体６の開口部５の上部一端側から取り出すようにしている。
外蓋８の遊端側内面と、これに対応するケース本体６の開口部５の外面とには、係止用凹凸部１４，１５が形成されており、これらによって、外蓋８をケース本体６の開口部５の上面を被覆するように閉鎖させたとき、その閉鎖状態を保持させるようにしている。
【００１３】
また、中蓋９の遊端（反ヒンジ部）側外面と、ケース本体６の開口部５の内面とには、係止用凹凸部１６，１７が形成されており、これらによって、中蓋９をケース本体６の開口部５の上面を被覆するように閉鎖させたとき、その閉鎖状態を保持させるようにしている。
外蓋８は、中蓋９の上からケース本体６の開口部５の上部を閉鎖するように構成されており、そのために、外蓋８は天板部８ａと、天板部８ａの周縁に一体的に起立形成された短い高さの周壁部８ｂとを備えている。また、中蓋９のヒンジ部１０に対応する外蓋８の周壁部８ｂには該ヒンジ部１０に嵌合する切り欠き部８ｃが形成され、外蓋８の閉鎖時の気密性を高めている。
【００１４】
外蓋８のヒンジ部７及び中蓋９のヒンジ部１０は、ポリプロピレンその他のプラスチック材料によりケース本体６と一体的に延長形成された部分を一部薄肉化して形成されている。
粘着体１３は、両面粘着テープを貼り付けており、そのために、外蓋８の遊端側内面の該当部分には、凸部８ｄが形成されている。なお、粘着体１３に使用される粘着剤組成物としては、例えば、アクリル系、ゴム系、シリコーン系や、ゼラチン、ニカワ、カゼイン等の各種粘着剤に、微細球状のエラストマー重合体（天然ゴム等）を含有するものが挙げられる。
【００１５】
前記ケース本体６の開口部５は、前記外蓋８の遊端側内面の粘着体１３の設置位置に対応する位置の底面にシート状物２の押し上げ部１８を備えている。この押し上げ部１８は、基部１８ａを除く周縁が切り目状のスリット１８ｂでケース本体６の底壁３から分離されており、基部１８ａには凹円弧状の薄肉部が形成されて弾性復元力が付与されている。
また、前記ケース本体６は、平面視で矩形状とされ、前記露出部分１２は中蓋９の一端部１１の全幅に亘って細幅状に形成されている。
本発明に係るシート状物収納ケース１の実施形態の構成は、以上からなり、次に、その使用状態を説明する。
【００１６】
本発明の実施形態に係るシート状物収納ケース１は、外蓋８の開放時においても中蓋９によってケース本体６の開口部５の上部が外蓋８の遊端側端部の露出部分１２を除いて被覆されるため、ケース本体６に収納されているシート状物２に水滴やゴミ等が付着することが防止され、また、風等でシート状物２が飛散することもなく、さらに、ケース本体６の反転や傾斜時等でもシート状物２がケース本体６から脱落することも防止される。しかも、シート状物２の取り出し時、外蓋８の遊端側に対応する中蓋９の一端部１１で形成された露出部分１２を通してケース本体６内の最上部のシート状物２をその端部で粘着体１３に粘着させて取り出すことができるため、シート状物２の周辺を中央部に集めて絞り出すような無理な力が発生せず、シート状物２の取り出しを破れや割れ、皺寄り等を発生させることなく円滑確実に行うことができる。また、中蓋９はケース本体６に対して開閉可能としてあるため、ケース本体６にシート状物２を充填したり、補充したりするとき、中蓋９を開放して容易に行うことができ、取り扱いも簡便なシート状物収納ケース１を提供することができる。
【００１７】
また、前記ケース本体６は、前記外蓋８の遊端側内面の粘着体１３の設置位置に対応する位置の底面にシート状物２の押し上げ部１８を備えているため、外蓋８の閉鎖時、外蓋８とケース本体６の底面とを指で上下から挟んで閉鎖することになり、この時にケース本体６の底面の押し上げ部１８に下方から外蓋８に向けて上向きの力が加わり、これによって、ケース本体６内に収納されたシート状物２が押し上げ部１８で押し上げられ、最上部のシート状物２が中蓋９で塞がれずに残っている露出部分１２を通して外蓋８の遊端側内面の粘着体１３に粘着し、次回の取り出しに備えさせることができる。
【００１８】
また、前記ケース本体６は、平面視で矩形状とされ、前記中蓋９の一端部１１で塞がずに残した露出部分１２は中蓋９の一端部１１の全幅に亘って細幅状に形成されているため、外蓋８の開放時、シート状物２を外蓋８の遊端側端部内面の粘着体１３に粘着させてスムーズに取り出すことができる。これによって、シート状物２を破れや割れ、皺寄り等を発生させることなく円滑に取り出すことができる。
本発明の実施形態は以上からなるが、本発明は、上記実施形態にのみ制約されるものではなく、特許請求の範囲に記載された意味と範囲内において種々改変して実施することができる。例えば、ケース本体６の平面形状は、矩形の場合を例示したが、矩形以外の円形や多角形としてもよく、この場合における露出部分１２は外蓋８の遊端側における約半周分程度の範囲に形成するのが好ましい。また、ケース本体６に対して外蓋８及び中蓋９はプラスチック材料で一体成型し、ヒンジ部７，１０を薄肉部として外蓋８及び中蓋９をケース本体６に対して開閉可能とした場合を例示しているが、それぞれ別体とし、ヒンジピンで接続するようにしてもよい。それぞれ別体とする場合、それぞれをプラスチック材料で構成する場合だけでなく、金属材料で構成したものと組み合わせてもよい。また、各部を異なる色彩としてもよく、外蓋８及び中蓋９の外面には、種々の凹凸模様や植物、動物、その他のプリント模様等の装飾を施してもよい。
【図面の簡単な説明】
【００１９】
【図１】本発明に係るシート状物収納ケースの外蓋及び中蓋開放状態における概略斜視図である。
【図２】（Ａ）は本発明に係るシート状物収納ケースの外蓋及び中蓋開放状態における平面図、（Ｂ）はその正面図、（Ｃ）は（Ａ）の中央縦断正面図である。
【図３】（Ａ）は本発明に係るシート状物収納ケースの底面図、（Ｂ）は平面図、（Ｃ）は側面図、（Ｄ）は中央縦断側面図、（Ｅ）は部分拡大断面図である。
【図４】（Ａ）は本発明に係るシート状物収納ケースの外蓋を省略した中蓋開放状態の側面図、（Ｂ）は中蓋閉鎖状態の一部破断側面図、（Ｃ）は部分拡大断面図である。
【図５】（Ａ）（Ｂ）（Ｃ）（Ｄ）は本発明に係るシート状物収納ケースのシート状物取り出し時の動作順序説明図である。
【符号の説明】
【００２０】
１    シート状物収納ケース
２    シート状物
６    ケース本体
７    ヒンジ部
８    外蓋
９    中蓋
１０    ヒンジ部
１２    露出部分
１３    粘着体
１８    押し上げ部
【図１】
2006062706.tif 000003
【図２】
2006062706.tif 000004
【図３】
2006062706.tif 000005
【図４】
2006062706.tif 000006
【図５】
2006062706.tif 000007